(57)【要約】      （修正有）【課題】サポート機能があり、通気性も良い男性用下着を提供する。【解決手段】この男性用下着は、ウエスト開口部２、レッグ開口部３及び股下部４を有するパンツ本体５と、該パンツ本体５の前部５ａに設けられ、着用者の陰のう及び陰茎を露出させる窓部６と、該窓部６を含むパンツ本体５の前部５ａを覆い、ウエスト開口部２のウエスト開口縁２ａ側と股下部４側との間にわたって配され、窓部６から露出される陰のう及び陰茎を覆い隠す前布部８と、該前布部８の左右側に配され、パンツ本体５の前部５ａと前布部８とによって外気を出入り可能として形成される通気開口部とを備え、窓部６の下側は重なり交差部２０とされる。【選択図】図６ａ
0003174596.tif 000002
【実用新案登録請求の範囲】
【請求項１】
上部のウエスト開口部、左右のレッグ開口部及び該レッグ開口部の間の股下部を有するパンツ本体と、
該パンツ本体の前部に設けられ、着用者の陰のう及び陰茎を露出させる窓部と、
該窓部を含む前記パンツ本体の前部を覆うように配され、前記窓部から露出される前記陰のう及び陰茎を覆い隠す前布部と、
該前布部の左右側に配され、前記パンツ本体の前部の表面と前記前布部の左右側の側縁との間で外気を出入り可能として形成される通気開口部と、
前記窓部の下側部分に形成され、該窓部の開口を形成する隣り合う２枚の布部が該窓部の下端で互いに縫着されることなくオーバーラップするように自由に交差して該交差部が前記窓部の下端を形成する重なり交差部と、
を備えることを特徴とする男性用下着。
【請求項２】
前記窓部は、着用者の陰のう及び陰茎の根元近傍を拘束する抑制手段を有する請求項１に記載の男性用下着。
【請求項３】
前記前布部は前記パンツ本体の前記股下部側において縫着され、前記ウエスト開口部側においても縫着されている請求項１又は２に記載の男性用下着。
【請求項４】
前記前布部は前記パンツ本体の前記股下部側においては縫着され、前記ウエスト開口部側においては着脱可能又はその左右の何れか一方側で縫着されるとともに、他方側においては着脱可能とされる請求項１又は２に記載の男性用下着。
【請求項５】
前記前布部は、自身の布素材の弛み又は伸縮性によって前記陰のう及び陰茎を包み込むように保持する袋状底部を有する請求項１ないし４のいずれか１項に記載の男性用下着。
【請求項６】
前記通気開口部を形成する前記前布部の左右の側縁に設けられ、前記外気の出入りを維持しつつ前記前布部の左右の側縁を弾性的に収縮させて前記通気開口部が拡がることを防ぐ弾性拘束部を備える請求項１ないし５のいずれか１項に記載の男性用下着。
【請求項７】
前記前布部の内面に設けられ、着用者の尿洩れを吸収する吸水材が収納可能とされる通水性部材で形成されるポケット部を備えることを特徴とする請求項１ないし６のいずれか１項に記載の男性用下着。
【請求項８】
前記ポケット部には、着用時において収納すべき前記吸水材の上部を保持して吊下げ形態での収納姿勢を維持するようにした吸水材取付手段を備えることを特徴とする請求項７に記載の男性用下着。
【請求項９】
前記左右のレッグ開口部から下方へそれぞれ延長されて左右の足の膝下部近傍までを被うステテコ状の延長部を備えた請求項１ないし８のいずれか１項に記載の男性用下着。
【請求項１０】
前記左右のレッグ開口部から下方へそれぞれ延長されて左右の足のくるぶし近くまでを被うタイツ状の延長部を備えた請求項１ないし８のいずれか１項に記載の男性用下着。
【考案の詳細な説明】
【技術分野】
【０００１】
本考案は、着用時の快適な使用感を得る男性用下着に関する。
【背景技術】
【０００２】
男性用下着の装着時において、陰のうや陰茎が内股面に直に接触又は密着すると、汗ばんだりむれたりして快適性に欠ける。特許文献１には、そうした陰のう等と内股面との接触を回避してムレ等を解消しようとする下着（肌着）が提案されている。
【先行技術文献】
【特許文献】
【０００３】
【特許文献１】実願昭５８−１８１５５０のマイクロフィルム（実開昭６０−８９２０２）
【考案の概要】
【考案が解決しようとする課題】
【０００４】
しかし、特許文献１のような男性用の下着は、二重のふんどしタイプのもので、通気性はよいが、陰のう・陰茎等のサポート機能に乏しく、フィット感にも欠ける。
【０００５】
本考案の課題は、陰のう及び陰茎をサポートしつつ、かかる個所の乾燥を促進させる構造を備え、また必要に応じて尿洩れを吸収する機能を付加できるようにした男性用下着を提供することにある。
【課題を解決するための手段】
【０００６】
本考案は、上部のウエスト開口部、左右のレッグ開口部及び該レッグ開口部の間の股下部を有するパンツ本体と、
該パンツ本体の前部に設けられ、着用者の陰のう及び陰茎を露出させる窓部と、
該窓部を含む前記パンツ本体の前部を覆うように配され、前記窓部から露出される前記陰のう及び陰茎を覆い隠す前布部と、
該前布部の左右側に配され、前記パンツ本体の前部の表面と前記前布部の左右側の側縁との間で外気出入り可能な通気開口部と、
前記窓部の下側部分に形成され、該窓部の開口を形成する隣り合う２枚の布部が該窓部の下端で縫着されることなく互いにオーバーラップするように自由に交差して該交差部が前記窓部の下端を形成する重なり交差部と、
を備えることを特徴とする。
【０００７】
上記構成とすることにより、着用者の陰のう及び陰茎は窓部から露出された状態で前布部で覆い隠されるように保持することができ、陰のうや陰茎が股間の肌に直接触れることを回避できるから、それに伴うムレや汗疹などを防ぐことができる。また前布部によりスポーツ時等においても快適なサポート感が得られる。さらに、前布部でサポートされている着用者の陰のう及び陰茎に対し、前布部の左右側に設けられる通気開口部に手を通してアプローチすることができるため、左利きや右利きによらず、サポート位置を直すことが容易であり、しかも、発汗時においても通気開口部から直接外気が出入りされるため、ムレ、かぶれなどの皮膚疾患や不快感を低減することができる。さらに、窓部の開口を形成する隣り合う２枚の布部が該窓部の下端で互いに縫合されることなくオーバーラップするように自由に交差して、該交差部が窓部の下端を形成する重なり交差部を備えることにより、陰茎等のサポート機能が向上し、また陰茎等が窓部からパンツ本体内へ引っ込んでしまうことを抑制する拘束機能が高まる。さらに、その重なり交差部の重なり程度が陰茎等に対して変わることによりその交差部の位置も容易に変動可能であり、陰のう・陰茎をサポートしつつ下端からの支持位置（交差部）がそれらの動きに応じて追従するように移動し得るから、サポート機能を保ちつつそれらに適度の自由度を付与できる。
【０００８】
また、本考案の実施形態では、パンツ本体の前部に、陰のう及び陰茎の根元近傍を拘束する抑制手段を有する。また前布部は、自身の布素材の弛み又は伸縮性によって陰のう及び陰茎を包み込むように保持する袋状底部を有する。さらに、通気開口部を形成する前布部の左右の側縁に設けられ、外気の出入りを維持しつつ前布部の左右の側縁を弾性的に収縮させて前記通気開口部が拡がることを防ぐ弾性拘束部を備える。
【０００９】
このように、窓部にその開口度を狭くして陰のう及び陰茎の根元近傍を拘束する抑制手段を設けることにより、陰のう及び陰茎の根元側の部分が拘束されるため、走る、歩く、座るなどで陰のう及び陰茎がパンツ本体内に戻ってしまう（引っ込んでしまう）ことが抑制され、その露出状態を維持して陰のうや陰茎が股間の肌に直接触れることを安定的に防止できる。また、前布部に袋状底部が存在することにより、陰のう及び陰茎は立体的に包み込まれるように保持されるから、快適に着用できる。さらに通気開口部を形成する前布部の左右の側縁を弾性的に収縮させる弾性拘束部が設けられることにより、動きが激しいスポーツ等で使用しても陰のうや陰茎が前布部の左右の側縁から外へこぼれ出ることが抑制され、外気の出入りを維持しつつ前布部による陰のう及び陰茎の保持状態を維持することができる。
【００１０】
また本考案の実施形態では、前布部はパンツ本体の股下部側において縫着され、かつウエスト開口部側においても縫着され、若しくはウエスト開口部側においては全体的に着脱可能とされ、または、前布部の上部の左右の何れか一方側で縫着されるとともに、他方側においては着脱可能とされる。前布部の下部及び上部を縫着すればシンプルでスマート感が高まり、他方、前布部の上部の少なくとも一方を着脱可能とすれば、前布部の上部を外して用を足すことができ、また後述の尿漏れ対策の吸水材を前布部内面のポケット部に収納する場合に、前布部を開放した状態でポケット部に対し吸水材の出し入れを容易に行うことができる。
【００１１】
また本考案の実施形態では、前布部の内面に設けられ、着用者の尿漏れ（排尿後の残尿洩れ等）を吸収する吸水材が収納可能とされる通水性部材で形成されるポケット部を備える。これにより、排尿後に残尿洩れが生じてもそれを吸水材によって吸収することができ、下着やズボンなどの汚れを防止でき、良好な着用感を維持できる。しかも、吸水材はポケット部に収納されるものであるため、取替え可能となり利便性が良い。
【００１２】
また、前記ポケット部には、着用時において収納すべき吸水材の上部を保持して吊下げ形態での収納姿勢を維持するようにした吸水材取付手段を備える。これにより、吸水材が着用中においても常にポケット部内で広がって位置するため、吸水機能が損なわれることがない。また、左右のレッグ開口部から下方へそれぞれ延長されて左右の足の膝下近傍までを被うステテコ状の延長部、あるいは左右の足のくるぶし近くまでを被うタイツ状の延長部を備えた複合的な形態とすれば、使用範囲が広がり、多様な消費者のニーズに応えられる。
【図面の簡単な説明】
【００１３】
【図１】本考案に係る男性用下着の全体を示す図。
【図２】図１の男性用下着の前布部を開いた状態を示す図。
【図３】他の実施の形態の男性用下着の全体を示す図。
【図４】図３の男性用下着の前布部を開いた状態を示す図。
【図５ａ】パンツ本体の前部と前布部とで形成される通気開口部を示す図。
【図５ｂ】図５ａの縦断面図。
【図６ａ】窓部の重なり交差部を窓部の開放状態で示す正面図。
【図６ｂ】その重なり交差部の模式的な平面図。
【図６ｃ】図６ａの使用時の一例を示す正面拡大図。
【図７ａ】パンツ本体の窓部におけるファスナ手段の一例を示す図。
【図７ｂ】図７ａの断面図。
【図７ｃ】同ファスナ手段の別の例を示す図。
【図７ｄ】同ファスナ手段のさらに別の例を示す図。
【図８】吸水材を装着可能な本考案に係る男性用下着の全体を示す図。
【図９】図８の男性用下着の前布部を開いた状態を示す図。
【図１０】他の実施の形態の男性用下着の全体を示す図。
【図１１】図１０の男性用下着の前布部を開いた状態を示す図。
【図１２】前布部の袋状底部で陰のう及び陰茎をサポートする状態を示す図。
【図１３】前布部の袋状底部で陰のう及び陰茎をサポートした状態でポケット部に収納する吸水材の固定保持状態を示す図。
【図１４】尻部までの長さの吸水材を使用した男性用下着を示す図。
【図１５】前布部の両側縁に設けられる弾性拘束部の一例を示す正面図。
【図１６】吸収材取付手段の一例を示す斜視図。
【図１７】図１６の要部を拡大して模式的に示す側面断面図。
【図１８】前布部の上縁辺をパンツ本体に縫い付けて着脱不能に一体化した例を示す正面図。
【図１９】前布部をパンツ本体の上縁辺まで達しないように短くした例を示す正面図。
【図２０】前布部を袋状底部を有さずパンツ本体の前部と面状に重なる形態とした例を示す側面図。
【図２１】前布部を左右に円弧状に膨らむ形態とした例を示す正面図。
【図２２】前布部を方形状の形態とした例を示す正面図。
【図２３】前布部を下側の方が上側より幅広に形成した形態（例えば台形状）とした例を示す正面図。
【図２４】レッグ開口部が上側に切り込んだ、いわゆるブリーフタイプのパンツ本体に前布部を付加した例を示す正面図。
【図２５】前布部の股上（長さ）が短くされた、いわゆるビキニタイプのパンツ本体に前布部を付加した例を示す正面図。
【図２６】窓部の周縁部の一部に拘束手段として弾性収縮部を設けた例を示す正面図。
【図２７】窓部の周縁部の全体に拘束手段として弾性収縮部を設けた例を示す正面図。
【図２８】窓部の周縁部に拘束手段として弾性収縮部のみを設けた例を示す正面図。
【図２９】その弾性収縮部として窓部の周縁部にゴム状部材を組み込んだ例を示す正面図。
【図３０】その弾性収縮部として窓部の周縁部を収縮性の強い布素材又は布構造で形成した例を示す正面図。
【図３１】その弾性収縮部として窓部の周縁部をギャザー構造とした例を示す正面図。
【図３２】左右のレッグ開口部から下方へステテコ状の延長部を備えた例を示す正面図。
【図３３】左右のレッグ開口部から下方へタイツ状の延長部を備えた例を示す正面図。
【図３４】図３２の断面図。
【図３５】図３３の断面図。
【考案を実施するための形態】
【００１４】
以下、本考案の実施の形態につき図面を参照して説明する。
【００１５】
図１から図４において、男性用下着１は、着用者の腰にフィットさせるために上部に配されるウエスト開口部２と、着用者の脚を通すために左右に配されるレッグ開口部３と、このレッグ開口部３の間に配される股下部４を有するパンツ本体５とを備える。このパンツ本体５の材質としては伸縮性を有する綿、絹、ウール、あるいは合成繊維又はこれらの混紡などの布製があげられる。なお、この明細書において、以下における左右、前後、上下などの記載は、この男性用下着１を正面から見た場合の看者にとっての方向を意味する。
【００１６】
ウエスト開口部２にはウエスト開口縁２ａが設けられる。このウエスト開口縁２ａは着用者の腰位置に相当する部分であり、パンツ本体５の最上部に設けられている。このウエスト開口縁２ａにはゴム状部材２ｂが設けられており、このゴム状部材２ｂの弾性力によって腰にフィットさせるようにして着用後のズレ落ちを防止している。ゴム状部材２ｂを省略し、ウエスト用開口縁２ａの素材により又は織りにより弾性力を付与し、腰にフィットさせても良い。
【００１７】
パンツ本体５の前身頃としての前部５ａには、図６ａに示すように着用者の陰のうＡ及び陰茎Ｂを露出させる窓部６が設けられている。この窓部６は、前部５ａの上下方向のスリット状の開口として形成され、その窓部６の下側部分には重なり開口部２０が形成されている。より詳しくは、窓部６が形成される前部５ａの布材の窓部６の下側部分において、隣り合う２枚の布部５ａ１，５ａ２が窓部６の下端で互いに縫合されることなくオーバーラップするように自由に交差して（図６ｂにおいてオバーラップ量（重なり量）Ｗ）、その交差部が窓部６の下端を形成する重なり交差部２０となる。図６ａのように窓部６が開放された状態では、２枚の布部５ａ１，５ａ２が鋭角に交差し、この重なり交差部２０は縫着されていないため、その重なり程度が変われば交差位置（窓部６の下端位置、ひいては窓部６の開口度）も変わる。つまり、重なり交差部２０の重なりが大きければ交差位置（窓部６の下端）が上にいき、重なりが小さくなれば交差位置は下に移る。そのため陰のうＡや陰茎Ｂのサイズ等に応じてそれらを下から支持する位置（窓部６の下端位置、ひいては窓部６の開口量）が適度に変動可能であり、後述のように好ましいサポート機能（適度の拘束感）が生じる。
【００１８】
この窓部６において、陰のうＡや陰茎Ｂを拘束してそれらが窓部６からパンツ本体５内へ引っ込んでしまうことを抑制する抑制手段（窓部６の開口調整の手段）が窓部６に設けられる。開口調整の抑制手段の具体例としては、窓部６を形成する布材６ａ，６ｂが上下方向で帯状に重なり合う前提で、ファスナ手段７を例示することができる。具体的には、図７ａ、図７ｂに示すように、ボタン穴７ａとボタン７ｂとの組み合せを使用したり、また、図７ｃに示すように、凸状の凸型留め具７ｃと凹状の凹型留め具７ｄとの組み合せによる凹凸嵌合機能を有するスナップボタン７ｅを使用したり、また、図７ｄに示すように、ループ片を有する一方面ファスナ７ｆとフック片を有する他方面ファスナ７ｇとの組み合せによる面ファスナを使用することが可能である。そして、図６ｃに示すように、窓部６の開口から陰のうＡや陰茎Ｂを前方に露出させた状態で、ボタン等のファスナ手段７の適数を閉じて、窓部６の下端の重なり交差部２０との間で陰のうＡや陰茎Ｂを拘束する。そのとき重なり交差部２０の交差位置（窓部６の下端位置）は陰のうＡや陰茎Ｂの動きにも柔軟に追従することができ、ソフトな拘束感・サポート感を付与できる。言い換えれば、陰のうＡや陰茎Ｂが窓部６からパンツ本体５内へ引っ込んでしまうことを抑制する拘束機能が得られるとともに、その重なり交差部２０の重なり程度が変わることによりその交差部２０の位置も容易に変動可能であり、陰のうＡや陰茎Ｂに対する下からの支持位置（交差部）がそれらの動きに追従できるから、サポート機能を保ちつつ適度の自由度を付与できる。
【００１９】
図１〜図４に戻り、パンツ本体５の窓部６を含む前部５ａは前布部８で覆われている。この前布部８はウエスト開口部２のウエスト開口縁２ａ側と股下部４側との間にわたって配されている。
【００２０】
この前布部８は、所定の伸縮性を有する綿、絹、ウール、あるいは合成繊維若しくはこれらの混紡などの布によって、全体が概ね逆台形状に形成される布本体８ａからなる。この布本体８ａは後述するように着用者の陰のうＡ及び陰茎Ｂに直接触る部分を含んでおり、このため排尿後の残尿を吸水可能となる材質が望ましく、しかも、洗濯して数回繰り返して使用可能なものとする場合の耐洗濯性、乾燥性、装着感などの観点から親水性繊維を含有する布材が好ましい。なお、この布材は単層であったり、例えば着用者と接する内側を残尿を吸水するための吸水層とし、外側を残尿の外部への漏出を防止するための防止層とすることも可能である。
【００２１】
そして、この布本体８ａの下端辺８ａ１側を、パンツ本体５の股下部４側に縫着している。また、布本体８ａの上端辺８ａ２側を、パンツ本体５のウエスト開口縁２ａにおいて縫着してもよいし、着脱可能としてもよい。この着脱可能とする手段は、上述のファスナ手段７が使用可能である。
【００２２】
この布本体８ａの上端辺８ａ２側の装着例としては、図１、図２に示すように、パンツ本体５のウエスト開口縁２ａ側において左右の両側にファスナ手段７を使用することが可能である。これによって着用者の右利き、左利きの両者への対応も図られる。また、図３、図４に示すように、パンツ本体５のウエスト開口縁２ａ側においてはその左右の何れか一方側（本例では右側）で破線にて示す縫着ラインＬ１の範囲で縫着されるとともに、他方側（本例では左側）においてはファスナ手段７を使用するようにして着脱可能としている。
【００２３】
また、図５ａ、図５ｂに示すように、前布部８をパンツ本体５の前部５ａに重ねて覆うように設けた状態で、窓部６から露出される着用者の陰のうＡ及び陰茎Ｂを覆い隠し、かつ、その露出位置で包み込むように保持させるようにした袋状底部８ｂを形成するように、布本体８ａの下端辺８ａ１とパンツ本体５の股下部４側とは、破線にて示す縫着ラインＬで縫着している。
【００２４】
この縫着ラインＬは、着用者が男性用下着１を着用した状態で、窓部６から露出される着用者の陰のうＡ及び陰茎Ｂの根元側に最も近くなるように位置させるとともに、前布部８の素材の弛みや伸縮性によって、陰のうＡ及び陰茎Ｂのほぼ全体を包み込むようにした状態で下方に垂れ下がるように保持可能とする袋状底部８ｂ（図５ｂ参照）が形成されることにより、この袋状底部８ｂによるサポート着用感を向上させている。また、所定幅の下端辺８ａ１によって、その幅寸法を縮めるようにして形成した左右方向の幅にて全体がシワ状面によって形成される袋状底部８ｂとすれば、単なる同じ幅の平面的なものと比較しても、この袋状底部８ｂの吸水能力が高くなることにより排尿吸水の点で有利となる。なお、袋状底部８ｂをシワ状とせずに形成してもよい。
【００２５】
また、図５ａに示すように、前布部８と、該前布部８の袋状底部８ｂに近接する上方位置の左右側に配され、パンツ本体５の前部５ａの表面５ｃと前布部８の左右側の側縁８ｃとの間に、袋状底部８ｂ内に外気を出入り可能として形成される一対の通気開口部９を備えている。また、この通気開口部９を形成する前布部８の左右側の側縁８ｃは線状または帯状の弾性拘束部８ｃ１とされている。この弾性拘束部８ｃ１は、前布部８の他の部分（本体部）より弾性（伸縮性）が大きく、通気開口部９の左右の側縁８ｃを弾性的に収縮させてその通気開口部９の開口が拡がらないように拘束する役割を果たし、例えば、糸紐状もしくは帯紐状の弾性部材としてのゴム状部材からなる。または図１５に示すように、前布部８の両側縁の帯状部分自身が弾性拘束部８ｃ１とされ、その帯状部分（８ｃ１）が織りにより又は繊維素材により前布部８の本体布部に比べて弾性（拘束力）が高められた部分として形成される。この弾性拘束部８ｃ１によって前布部８にその側縁に沿って弾性力が作用することにより、袋状底部８ｂのサポート機能と相まってさらにその機能を高めることができる。すなわち、袋状底部８ｂがあってもなくても構わないが、前布部８の両側縁（通気開口部９の左右の側縁８ｃ）が弾性拘束部８ｃ１により弾性的に収縮してその通気開口部９の開口が拡がらないように拘束する役割を果たすため、前布部８内に保持されている陰のうＡや陰茎Ｂが前布部８の両側縁（通気開口部９の左右の側縁８ｃ）からこぼれ出ることが抑制され、安定したサポート感が得られる。また、通気開口部９を有しているため、サポート機能が高くなっても前布部８（袋状底部８ｂ）内には外気が導入、導出されることにより前布部８（袋状底部８ｂ）内を乾燥状態へと導くことが可能となる。また、前布部の左右側に設けられる通気開口部９に手を通すことができるため、左利きや右利きによらず、着用者の陰のうＡ及び陰茎Ｂのサポート位置を直したり、放尿時に露出させることが容易にできることとなる。
【００２６】
次に、本考案に係る他の実施形態の男性用下着１としては、図８〜図１２に示すように、前布部８の内面にはポケット部１０が設けられる。このポケット部１０には、着用者の尿漏れ（例えば排尿後の残尿洩れ等）を吸収する吸水材１１（例えば吸水シート又は吸水パッド等）が収納される。このためポケット部１０は透水性を備えるメッシュ部材などの通水性部材で形成されている。この吸水材１１は生理用ナプキンや使い捨ておむつ等の吸収体として従来用いられている各種公知のものである高分子吸水ポリマーをコア材と使用することができる。また、洗濯して繰り返し使用可能なものとする場合は、耐洗濯性、乾燥性、装着感等の観点から親水性繊維を含有する布材を吸収材とすることが好ましい。さらに、吸水材１１として好ましくは、水溶性を有する吸水材（吸水紙）等を使用することにより、水洗トイレに廃棄しても吸水材が溶けて流れるため、使用後における手間をなくすことができて有益である。なお、この例による他の構成部材について、上述の他の実施の形態における構成部材と同様な部材は、図中に同一符号を付して、その詳細な説明は省略する。
【００２７】
また、この実施例は、図１３に示すように、着用時において収納すべき吸水材１１の上部を保持して吊下げ形態での収納姿勢を維持するようにした吸水材取付手段１２を備えている。この吸水材取付手段１２は上述のファスナ手段７と同様の構成を採用するものである。例えば、図１６，１７に示すように、ファスナ手段は、前布部８の上部内面又はそれに対向するポケット部１０の上部内面にボタン１２ａを設け、他方、吸水材１１の上部にボタンホール１２ｂを形成し、これらを嵌め合わせるものとする。ボタン１２ａとボタンホール１２ｂとの組合せは、図７ｃ、図７ｄに示したファスナ手段７に置換してもよい。
【００２８】
また、図１４に示す男性用下着１（窓部６は図示省略）は、吸水材１１としてパンツ本体５の尻部としての後部５ｂまで連続する長さのものを使用する例である。この例による吸水材１１は、長手側の一端を前布部８の内面のポケット１０内に収納させ、他端を後部５ｂの所定位置に位置又は止着させている。
【００２９】
このように吸水材１１を後部５ｂまで通すために、パンツ本体５の前部５ｂであって、前布部８で形成される袋状底部８ｂ内と連通される位置に通穴５ａ３を形成している。（ポケット１０の少なくとも下側は開口とする。）また、この吸水材１１を止着させるために上述のファスナ手段７を使用することができ、これによって吸水材１１も着脱可能とされる。
【００３０】
更に別の実施例（変形例）を示す。例えば、図１８に示すように、前布部８の上縁をパンツ本体５のウエスト開口縁２ａ側に縫い付けて一体化してもよい。この場合は、前布部８がパンツ本体５に対し着脱不能となり、吸水材１１のためのポケット部１０を有しないタイプに好適である。
【００３１】
また、図１９に示すように、前布部８の上縁をパンツ本体５の高さ方向の中間部に縫い付け（縫製ラインＬ２）、又はファスナ手段７でその上縁の一方又は双方を着脱可能とすることができる。この場合、パンツ本体５のウエスト開口縁２ａに設けられるゴム状部材２ｂ（又は布自体による弾性伸縮部）と、前布部８の上縁との重なりを防ぎ、ウエスト回りが厚くなることを回避できる。
【００３２】
さらに図２０に示すように、前布部８は原形状態（左図）で、袋状底部８ｂが形成されないものとし（パンツ本体５の前部５ａと前布部８が面状に接する程度に重なり合う形態）、前布部８の伸縮性により前布部８が伸びた状態で、陰茎Ｂを上向き又は下向きにしてより強い拘束力で保持することもできる。
【００３３】
また、図２１〜図２３に示すように、前布部８は、逆台形状に限らず、左右に円弧状に膨らむ形態（図２１）、幅が一定の方形形態（図２２）、上方ほど幅が狭くなる形態（台形状等）のもの（図２３）でもよい。これらの形態で前布部８ａ２がパンツ本体５の上端辺まで達してもよいし、中間まで（１点鎖線８ａ２´）としてもよい。
【００３４】
また、図２４、２５に示すように、パンツ本体５は、レッグ開口部３が上方へ切り欠かれたいわゆるブリーフ形態（図２４）、さらにレッグ開口部３の股上（長さ）が短いいわゆるビキニ形態のものでもよい（図２５）。  
【００３５】
また、図２６に示すように、窓部６の拘束手段として、ボタン等のファスナ手段７に加え、窓部６の周縁部に弾性収縮部（弾性拘束部）１７を付加し、これによって陰のうＡや陰茎Ｂの根元部または中間部等を弾性的に拘束し、陰けい及び陰のうが窓部６からパンツ本体５の内部に戻ることを防止し、それらを窓部６から前布部８側へ露出させた状態に保ちやすい効果が生じる。図２６は窓部６に周縁部の一部（例えば下側部分）に弾性収縮部１７を設けた例を、また図２７は窓部６の全体の周縁部に弾性収縮部１７を設けた例を示している。さらに図２８は、窓部６に拘束手段としてボタン等のファスナ手段７を設けず、代わりに窓部６に（例えば全周の周縁部）に弾性収縮部１７を設けた例である。つまり、窓部６に拘束手段として、ボタン等のファスナ７と共に、又はファスナ手段７に代えて弾性収縮部１７を形成することができ、それによって陰のうや陰茎が窓部６から内部に戻る（引っ込んでしまう）ことを抑制する。
【００３６】
このような窓部６に設ける弾性収縮部１７としては、例えば図２９に示すような窓部６の周縁部に組み込んだゴム紐又はゴム帯等のゴム状部材１７ａを採用することができ、又は図３０に示すように、窓部６の周縁部６をパンツ本体５の布素材又は布構造による伸縮性より強い弾性収縮力を生じる布構造１７ｂ（例えば布織りや布編みの相違）又は布素材１７ｂ（布素材がパンツ本体５と窓部６とで異なる）で形成することもできるし、さらには図３１に示すように、窓部６の周縁部を縫製によりギャザー構造１７ｃとすること（例えば縫い目１８で縫製することで、伸縮性のあるひだ状に形成され、ひだが弾性的に伸びる一方で、収縮方向の復帰力が弾性収縮力となる）等も可能である。
【００３７】
なお、図２６〜図３１に示した窓部６（これには重なり交差部２０は存在しない）における弾性収縮部１７を、図６ａ〜図６ｃに示した重なり交差部２０との組み合せで設けることにより（ファスナ手段７は有っても無くてもよい）、陰のうＡや陰茎Ｂに対するサポート機能が向上し、かつ適度の自由度も付与できる。具体的には、図６ａの前部５ａの窓部６を形成する布部（布材）６ａ，６ｂの全部又は一部（例えば一方の布部のみ、又は両布部の上側領域若しくは下側領域等）に弾性収縮部１７を設けることができる。その場合の弾性収縮部１７の具体的内容は、上述のとおりゴム状部材の付加、布素材又は布構造自体の収縮性、ギャザー構造等を採用することができる。
【００３８】
さらに、図３２，３４に示すように、左右のレッグ開口部３から下方へそれぞれ延長されて左右の足の膝下部近傍までを被うステテコ状の延長部３１を備え、パンツとステテコを合体した複合的な男性用下着（ステテコ付きパンツ）３０としたり、図３３，３５に示すように、左右のレッグ開口部３から下方へそれぞれ延長されて左右の足のくるぶし近くまでを被うタイツ状の延長部４１を備え、パンツとタイツを合体した複合的な弾性用下着（タイツ付きパンツ）４０とすることもできる。
【００３９】
以上、本考案の実施の形態を説明したが、これらはあくまで例示にすぎず、本考案はこれらに限定されるものではなく、各々の実施の形態は、本考案の説明のために一つ実施形態の部分として述べられている構成を、別の実施の形態において利用し、更にこれらを組み合わせて別の実施の形態とすることができる。
【符号の説明】
【００４０】
１，３０，４０  男性用下着
２      ウエスト開口部
２ａ    ウエスト開口縁
３      レッグ開口部
４      股下部
５      パンツ本体
５ａ    前部
５ｃ    表面
６      窓部
７      ファスナ手段（抑制手段）
８      前布部
８ｂ    袋状底部
８ｃ    側縁
８ｃ１  弾性拘束部
９      通気開口部
１０    ポケット部  
１１    吸水材
２０    重なり交差部
３１，４１  延長部
【図１】
0003174596.tif 000003
【図２】
0003174596.tif 000004
【図３】
0003174596.tif 000005
【図４】
0003174596.tif 000006
【図５ａ】
0003174596.tif 000007
【図５ｂ】
0003174596.tif 000008
【図６ａ】
0003174596.tif 000009
【図６ｂ】
0003174596.tif 000010
【図６ｃ】
0003174596.tif 000011
【図７ａ】
0003174596.tif 000012
【図７ｂ】
0003174596.tif 000013
【図７ｃ】
0003174596.tif 000014
【図７ｄ】
0003174596.tif 000015
【図８】
0003174596.tif 000016
【図９】
0003174596.tif 000017
【図１０】
0003174596.tif 000018
【図１１】
0003174596.tif 000019
【図１２】
0003174596.tif 000020
【図１３】
0003174596.tif 000021
【図１４】
0003174596.tif 000022
【図１５】
0003174596.tif 000023
【図１６】
0003174596.tif 000024
【図１７】
0003174596.tif 000025
【図１８】
0003174596.tif 000026
【図１９】
0003174596.tif 000027
【図２０】
0003174596.tif 000028
【図２１】
0003174596.tif 000029
【図２２】
0003174596.tif 000030
【図２３】
0003174596.tif 000031
【図２４】
0003174596.tif 000032
【図２５】
0003174596.tif 000033
【図２６】
0003174596.tif 000034
【図２７】
0003174596.tif 000035
【図２８】
0003174596.tif 000036
【図２９】
0003174596.tif 000037
【図３０】
0003174596.tif 000038
【図３１】
0003174596.tif 000039
【図３２】
0003174596.tif 000040
【図３３】
0003174596.tif 000041
【図３４】
0003174596.tif 000042
【図３５】
0003174596.tif 000043